(57)【要約】【課題】隣り合う壁パネルの接合部をより目立ち難くするための新規な技術を提案する。【解決手段】複数の縦目地３と複数の横目地３にて矩形の区画が形成され、各区画に凸部５ａ，５ｂ・・・が構成される方形の壁パネルであって、各凸部には、横目地３に沿って、上側の側面部５１ａと、下側の側面部５２ａが形成され、横方向に隣り合う凸部同士の上側の側面部５１ａについて、面積、及び／又は、傾斜角度が互いに異なる箇所を、横方向において少なくとも一箇所有する上側目地ライン３Ｔと、及び／又は、横方向に隣り合う凸部同士の下側の側面部５２ａについて、面積、及び／又は、傾斜角度が互いに異なる箇所を、横方向において少なくとも一箇所有する下側目地ライン３Ｕと、を有する壁パネル、とする。【選択図】図３
2017031721.tif 000002
【特許請求の範囲】
【請求項１】
複数の縦目地と複数の横目地にて矩形の区画が形成され、各区画に凸部が構成される方形の壁パネルであって、
前記各凸部には、前記横目地に沿って、上側の側面部と、下側の側面部が形成され、
横方向に隣り合う前記凸部同士の上側の側面部について、面積、及び／又は、傾斜角度が互いに異なる箇所を、横方向において少なくとも一箇所有する上側目地ラインと、
及び／又は、
横方向に隣り合う前記凸部同士の下側の側面部について、面積、及び／又は、傾斜角度が互いに異なる箇所を、横方向において少なくとも一箇所有する下側目地ラインと、を有する壁パネル。
【請求項２】
前記上側目地ライン、及び／又は、前記下側目地ラインとは別に、横方向に一直線上に延びる直線状ラインを有する、
ことを特徴とする請求項１に記載の壁パネル。
【請求項３】
前記凸部には、縦目地と横目地で囲まれる凸表面が構成され、
前記凸表面は、施工状態において垂直面に対し、傾斜する傾斜角度を有する、
ことを特徴とする請求項１又は請求項２に記載の壁パネル。
【請求項４】
前記凸部には、縦目地と横目地で囲まれる斫り表面が構成される、
ことを特徴とする請求項１乃至請求項３のいずれか一項に記載の壁パネル。 
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（パネル状）の壁パネルを並設することで、外装や内装の壁を構成することが行われている。隣り合う壁パネルは接合され、外観において連続した一連の壁表面が形成される。
【０００３】
特許文献１では、複数個のブロック部を表面に突出して形成した建築板について開示しており、各ブロック部の斜面を異なる角度で構成することにより、各斜面に塗布された塗膜の面積が異なるようにし、これにより、建築板の陰影感を大きくすることについて記載している。
【先行技術文献】
【特許文献】
【０００４】
【特許文献１】特許第４３５１５８８号公報
【発明の概要】
【発明が解決しようとする課題】
【０００５】
壁パネルを施工して形成した一連の壁表面においては、隣接する壁パネル同士の接合部を目立たなくする（目立ち難くする）ことにより、継ぎ目のない（目立たない）連続した壁面意匠を構成することが要求される。接合部（継ぎ目）が目立つと、美観上問題となり、施工上の不具合としてクレームとなる可能性もあるためである。
【０００６】
この点、特許文献１に開示される技術においては、一枚の壁パネル（建築板）内の意匠について、その柄模様の陰影感を大きくすることは可能であるものの、隣り合う壁パネルの接合部を目立たなくすることができる技術ではない。
【０００７】
他方、実際には製造交差や施工誤差が生じることが予想されるものであり、これらを見越し、接合部をより目立たなくすることができる技術が求められていた。
【０００８】
そこで、本発明は、以上の問題に鑑み、隣り合う壁パネルの接合部をより目立ち難くするための新規な技術を提案するものである。
【課題を解決するための手段】
【０００９】
本発明の解決しようとする課題は以上の如くであり、次にこの課題を解決するための手段を説明する。
【００１０】
即ち、請求項１に記載のごとく、
複数の縦目地と複数の横目地にて矩形の区画が形成され、各区画に凸部が構成される方形の壁パネルであって、
前記各凸部には、前記横目地に沿って、上側の側面部と、下側の側面部が形成され、
横方向に隣り合う前記凸部同士の上側の側面部について、面積、及び／又は、傾斜角度が互いに異なる箇所を、横方向において少なくとも一箇所有する上側目地ラインと、
及び／又は、
横方向に隣り合う前記凸部同士の下側の側面部について、面積、及び／又は、傾斜角度が互いに異なる箇所を、横方向において少なくとも一箇所有する下側目地ラインと、を有する壁パネルとする。
【００１１】
また、請求項２に記載のごとく、
前記上側目地ライン、及び／又は、前記下側目地ラインとは別に、横方向に一直線上に延びる直線状ラインを有する、こととする。
【００１２】
また、請求項３に記載のごとく、
前記凸部には、縦目地と横目地で囲まれる凸表面が構成され、
前記凸表面は、施工状態において垂直面に対し、傾斜する傾斜角度を有する、こととする。
【００１３】
また、請求項４に記載のごとく、
前記凸部には、縦目地と横目地で囲まれる斫り表面が構成されることとする。
【発明の効果】
【００１４】
本発明の効果として、以下に示すような効果を奏する。
【００１５】
即ち、請求項１に記載の発明においては、横目地において、視覚上、「揺らぎ」のあるラインが形成され、各壁パネルの凸部の境界部に横方向の目地ズレが存在しているものと認識されやすくなり、横方向に隣り合う壁パネル同士の接合部における横方向の目地ズレが目立って認識されることを防止でき、ひいては、壁パネル同士の接合部をより目立ち難くすることができる。
【００１６】
また、請求項２に記載の発明においては、縦方向に隣接する壁パネル同士の接合部に生じる直線状ラインのみならず、壁パネルの柄模様中にも直線状ラインが現れるので、接合部の直線状ラインに視線が集中することなく、接合部を目立ち難くすることができる。
【００１７】
また、請求項３に記載の発明においては、例えば、上側の側面部の幅をより広く、下側の側面部の幅をより狭く見せる効果を発揮させることができ、視覚上、「揺らぎ」の効果がより顕著に現れることにより、壁パネル同士の接合部をより目立ち難くすることができる。
【００１８】
また、請求項４に記載の発明においては、斫り表面に現れる複雑なラインによって、視覚の焦点が定まらないことになり、上側や下側の側面部の幅を特定し難くする効果を発揮させることができ、視覚上、「揺らぎ」の効果がより顕著に現れることにより、壁パネル同士の接合部をより目立ち難くすることができる。
【図面の簡単な説明】
【００１９】
【図１】本発明を適用する壁パネルの一実施例を示す図。
【図２】（Ａ）は一実施例に係る柄模様の拡大図。（Ｂ）は略フラットな凸表面を有する凸部について示す図。（Ｃ）は傾斜した凸表面を有する凸部について示す図。（Ｄ）は傾斜した凸表面を有する凸部について示す図。（Ｅ）は傾斜した凸表面を有する凸部について示す図。（Ｆ）は傾斜した凸表面を有する凸部について示す図。（Ｇ）は斫り表面を有する凸部について示す図。
【図３】横方向（左右方向）に隣り合う壁パネルの接合部の部分の拡大図。
【図４】縦横に隣り合う壁パネルの接合部について示す図。
【図５】（Ａ）ロールコーター塗装の概念について示す図。（Ｂ）は板厚が製作誤差により薄く構成された場合の塗装の状況について示す図。（Ｃ）は板厚が製作誤差により厚く構成された場合の塗装の状況について示す図。
【図６】壁パネルの色目のバラつきにより壁面に濃淡が形成されてしまう状況について説明する図。
【図７】（Ａ）は板厚が薄い場合において立ち上がり面をより垂直に近づけた構成での塗装の状況について示す図。（Ｂ）は板厚が厚い場合において立ち上がり面をより垂直に近づけた構成での塗装の状況について示す図。
【図８】上下の壁パネルの接合部について示す正面図。（Ｂ）は（Ａ）のＡ−Ａ線断面図。（Ｃ）は一直線上の面取りラインについて示す図。（Ｄ）は面取りラインを分断した状態について示す図。（Ｅ）は面取りラインに粗面化加工を施した状態について示す図。
【発明を実施するための形態】
【００２０】
次に、発明の実施の形態について図面を用いて説明する。
図１は、本発明を適用する壁パネル１Ａの一実施例を示すものであり、方形の板状材（建築板）として構成されており、その縁を構成する四辺をそれぞれ、上縁１０、下縁２０、右縁３０、左縁４０とする。各縁には合決部（裏実、表実）や、切りっ放し端面などが構成され、シーリングレスによる接合が可能に構成される。
【００２１】
壁パネル１Ａの表面には、硬化前の基板をプレス成形や、切削による目地の形成などにより、凹凸面が形成される。図１の例では、断面略Ｖ字状の目地３にて矩形の区画が形成され、各区画において凸部５が構成されている。また、図１の例の壁パネル１Ａは、横幅３０３０ｍｍ、縦幅４５５ｍｍの長方形状のパネルとし、その表面に、横×縦にて１２０個×１８個の区画が構成されることとしている。
【００２２】
なお、壁パネル１Ａの素材については特に限定されるものではなく、窯業系の建築板（窯業系サイディング）、金属系の建築板（金属系サイディング）など、各種の建築板について本発明は適用できるものである。
【００２３】
図２（Ａ）は、柄模様の拡大図であり、複数種類の各凸部５（ブリック）を縦横に配置してなる柄模様が構成される。凸部５は、例えば、図２（Ｂ）に示される略フラットな凸表面５０ａ（施工状態で垂直面を構成するもの）を有するものや、図２（Ｃ）〜（Ｆ）に示されるように、上下左右の一辺が低くなる傾斜角度をつけた凸表面５０ｂ，５０ｃ・・を有するもの（なお、傾斜方向はこの４つの例に特に限定しない）が使用される。
【００２４】
また、各凸部５の間には、横方向と縦方向の目地３が存在し、凸部５と目地底３１の間には、図２（Ｂ）〜（Ｆ）に示されるように、凸部５の凸表面５０ａ，５０ｂ・・・から目地底３１にかけて傾斜する側面部５１〜５４が構成される。
【００２５】
さらに、凸部５の一部は、図２（Ｇ）に示すように、表面が斫られた後のような、ランダムな凹凸にて複雑な表面を構成する斫り表面５０ｍを有するもので構成される。
【００２６】
以上のように、本実施例では、各凸部５において、様々な角度の凸表面５０ａ，５０ｂ・・・が構成されることで、様々な濃度の影が生まれ、色味に変化のある高い意匠性が確保される。また、斫り表面５０ｍが配置されることで、光を受ける面に不規則性が生まれ、より複雑な陰影感が発揮される。また、塗装においては、スプレー塗装やフローコーター塗装により全体を濃い色味で塗った後、ツートンのトップ面の部分を明るい色でロールコーター塗装することで、更なる陰影感を表現できる。
【００２７】
図３は、横方向（左右方向）に隣り合う壁パネル１Ａ，１Ｂの接合部Ｓｙの部分の拡大図である。
図３において、凸部５ａ，５ｂ・・・・が現れており、壁パネル１Ａの凸部５ｆと、壁パネル１Ｂの凸部５ｇの間に、接合部Ｓｙが存在する。
【００２８】
ここで、凸部５ａにおいては、略傾斜のない凸表面５０ａと、上側の側面部５１ａと、下側の側面部５２ａと、右側の側面部５３ａが現れている。
【００２９】
同様に、凸部５ｂにおいては、上側が低く下側が高い傾斜がつけられた凸表面５０ｂと、上側の側面部５１ｂ、下側の側面部５２ｂと、右側の側面部５３ｂが現れている。
【００３０】
なお、凸表面５０ｂの傾斜の説明において、「高い」、「低い」の用語は、壁パネルの厚み方向における「厚い」、「薄い」に対応するものである。換言すれば、壁パネルにおける凸表面の突出高さを意味するものである。
【００３１】
同様に、凸部５ｃにおいては、上側が高く下側が低い傾斜であって、他の部位から右下部分にかけて低くなる傾斜がつけられた凸表面５０ｃと、上側の側面部５１ｃと、下側の側面部５２ｃが現れている。
【００３２】
同様に、凸部５ｄにおいては、斫り表面５０ｄと、その周囲において発現する上側の側面部５１ｄと、下側の側面部５２ｄと、右側の側面部５３ｄが現れている。
【００３３】
同様に、凸部５ｅにおいては、略傾斜のない凸表面５０ｅと、上側の側面部５１ｅと、下側の側面部５２ｅと、右側の側面部５３ｅが現れている。
【００３４】
同様に、凸部５ｆにおいては、斫り表面５０ｆと、上側の側面部５１ｆが現れている。
【００３５】
同様に、凸部５ｇにおいては、略傾斜のない凸表面５０ｇと、上側の側面部５１ｇと、下側の側面部５２ｇと、右側の側面部５３ｇが現れている。
【００３６】
そして、各凸部５ａ〜５ｇが横方向に一列に並べられ、その上側の側面部５１ａ〜５１ｇの箇所において、横方向の目地３に沿って延びる一連の上側目地ライン３Ｔが形成される。この上側目地ライン３Ｔは、光を反射する面を構成するため、認識され易いように現れる。図３では、より理解をし易くするために、上側目地ライン３Ｔの輪郭を上側に抽出して記載している。
【００３７】
ここで、上側目地ライン３Ｔにおいては、各側面部５１ａ〜５１ｇの面積（形状）や傾斜角度が異なるため、視覚上、「揺らぎ」のあるラインが形成される。換言すれば、長さ方向において幅が広くなったり狭くなったりし、また、傾斜角度が大きくなったり小さくなったりするバリエーションのある帯状のラインが形成される。
【００３８】
また、各凸表面５０ａ，５０ｂ・・・の傾斜角度の違いや、斫り表面５０ｄ，５０ｆの存在により、視覚上、「揺らぎ」がより顕著に現れる。具体的には、例えば、凸部５ｂの凸表面５０ｂが傾斜していることによって、凸表面５０ｂと、凸表面５０ａの側面部５３ａとの間に輪郭線５５が顕著に現れることになる。この輪郭線５５は、角度αにて傾斜するため、視覚上、側面部５１ａの幅をより広く、側面部５１ｂの幅をより狭く見せる効果を発揮することになる。また、斫り表面５０ｆ，５０ｇの複雑なライン５６ａ，５６ｂによっても、視覚の焦点が定まらないことになり、側面部５１ｄ，５１ｆの幅を特定し難くする効果が発揮されることになる。
【００３９】
このように、各凸表面５０ａ，５０ｂ・・・の傾斜角度の違いや、斫り表面５０ｄ，５０ｆが存在することにより、単に、上側の側面部５１ａ〜５１ｇの幅が上側目地ライン３Ｔの長さ方向において変化する構成と比較して、より「揺らぎ」の効果を強く発揮させることが可能となる。
【００４０】
また、同様に、下側の側面部５２ａ〜５２ｇの箇所においても、横方向に延びる一連の下側目地ライン３Ｕが形成される。この下側目地ライン３Ｕは、影をなす面を構成するため、認識され易いように現れる。図３では、より理解をし易くするために、下側目地ライン３Ｕの輪郭を下側に抽出して記載している。
【００４１】
この下側目地ライン３Ｕについても、上側目地ライン３Ｔと同様に、「揺らぎ」の効果を発揮させることができる。
【００４２】
そして、以上のように、横方向の目地３に沿って上側目地ライン３Ｔ、下側目地ライン３Ｕが構成されることで、隣り合う壁パネル１Ａ，１Ｂの目地３同士の間で生じるズレが目立ち難くなる。これにより接合部Ｓｙが目立ち難くなるといった視覚効果を発揮させることができる。
【００４３】
つまり、上側目地ライン３Ｔ、下側目地ライン３Ｕの「揺らぎ」が存在するため、各壁パネル１Ａ，１Ｂの凸部５ａ，５ｂ・・・の境界部に横方向の目地ズレが存在しているものと認識されやすくなり、横方向に隣り合う壁パネル１Ａ，１Ｂ同士の接合部Ｓｙにおける横方向の目地ズレだけが特別目立って認識されることがない。
【００４４】
以上の構成により、図４に示すように、横方向に壁パネル１Ａ，１Ｂを突き合わせて接合した状態では、接合部Ｓｙにおける横方向の目地３Ａ，３Ｂ同士のズレ（上下方向）を目立ちににくくすることができる。
【００４５】
他方、図４に示すように、縦方向に隣接する壁パネル同士（壁パネル１Ａ，１Ｃの間、壁パネル１Ｂ，１Ｄの間）の接合部Ｓｘには、横方向に延びる直線状ラインＬが生じることになる。接合部Ｓｘでは、壁パネル１Ａの下縁と壁パネル１Ｃの上縁が接合されるため、直線状ラインＬが必然的に現れるのである。
【００４６】
そこで、この直線状ラインＬを目立ち難くするために、壁パネルの柄模様中に、直線状ラインＸを形成することとする。即ち、壁パネルの柄模様中において、上側目地ライン３Ｔ、下側目地ライン３Ｕを伴う目地３Ａ，３Ｂの他に、直線状ラインＸを伴う目地ライン３ｘを出現させるものである。
【００４７】
これによれば、縦方向に隣接する壁パネル同士の接合部Ｓｘに生じる直線状ラインＬのみならず、壁パネルの柄模様中にも直線状ラインＸが現れるので、接合部Ｓｘの直線状ラインＬに視線が集中することなく、接合部Ｓｘを目立ち難くすることができる。
【００４８】
なお、以上の実施例では、横方向に延びる目地について、「揺らぎ」を形成する上側目地ライン３Ｔ、下側目地ライン３Ｕが構成される例について述べたが、縦方向に延びる目地についても同様に適用できるものである。また、本明細書中において、方向を特定するための「縦」「横」の用語は、互いに直交する２方向を定義するために便宜的に用いるだけであり、説明中、「縦」と「横」を置き換えて解釈することもできる。
【００４９】
次に、壁パネルのロールコーター塗装に関する技術について説明する。
図５（Ａ）に示すように、ロールコーター塗装は、塗布ロール８０とバックアップロール８１の隙間８２に壁パネル１Ａを差し込み搬送し、塗布ロール８０にて壁パネル１Ａの凹凸表面１ｚの凸部分９ａ，９ｂに塗装を施す技術である。この図５（Ａ）では、複雑な凹凸表面をなす斫り表面５０ｍが形成される例を表現している。
【００５０】
ここで、ロール間の隙間８２のクリアランス幅は規定の一定の値に設定されており、壁パネル１Ａに対して塗布ロール８０から一定の圧力Ｐが作用し、塗布ロール８０が適宜圧縮して塗り込みが行われる。そして、圧力が一定であれば、壁パネル１Ａに形成される塗膜も一定のものとなり、壁パネルごとの塗装にはバラつきが生じないことになる。
【００５１】
しかしながら、壁パネル１Ａには製作誤差があるため、板厚１ｗにバラつきが生じることが想定される。そして、この板厚１ｗのバラつきが塗膜の形成に影響することを見出した。
【００５２】
具体的には、図５（Ｂ）に示すように、板厚１ｗが製作誤差により薄く構成された場合には、塗布ロール８０から作用する圧力Ｐは小さくなり、塗布ロール８０の圧縮量も小さくなるため、凸部分９ａ，９ｂにおいて塗装範囲Ｇ１，Ｇ２は狭くなる。換言すれば、断面で見た場合に、凸部分９ａ，９ｂの頂上部分からの塗り込み深さＤが浅くなるため、平面（壁パネルの表面と対向する方向から見た場合）で見た場合に、塗装範囲Ｇ１，Ｇ２が狭くなるのである。
【００５３】
他方、図５（Ｃ）に示すように、板厚１ｗが製作誤差により厚く構成された場合には、塗布ロール８０から作用する圧力Ｐは大きくなり、塗布ロール８０の圧縮量も大きくなるため、凸部分９ａ，９ｂにおいて塗装範囲Ｇ１，Ｇ２は広くなる。換言すれば、断面で見た場合に、凸部分９ａ，９ｂの頂上部分からの塗り込み深さＤが深くなるため、平面で見た場合に、塗装範囲Ｇ１，Ｇ２が狭くなるのである。
【００５４】
そして、例えば、ホワイト系の明るい塗装を施す場合には、図５（Ｂ）の場合は全体的に色目が暗くなり、図５（Ｃ）の場合は、全体的に色目が明るくなる。他方、ダーク系の塗装を施す場合には、図５（Ｂ）の場合は全体的に色目が薄くなり、図５（Ｃ）の場合は、全体的に色目が濃くなる。
【００５５】
このように壁パネルの色目にバラつきが生じると、図６に示すように、壁パネルを並べて施工した場合に、その色味の違いが顕著に目立つことになり、壁面全体の統一感を阻害することになる。図６の例では、ホワイト系の明るい塗装が施された略同一厚みの壁パネル１Ａ，１Ａの中に、一枚だけ厚みが薄く色目が暗い壁パネル１Ｂが配置されることにより、壁面に濃淡が形成されてしまうことを表している。
【００５６】
鋭意検討したところ、ロールコーター塗装を行う場合において、凸部分９ａ，９ｂの断面形状が塗装範囲Ｇ１，Ｇ２に影響することを見出した。即ち、図７（Ａ）（Ｂ）の拡大部分に示すように、凸部分９ａは、壁パネルの基板９ｃのベース面９ｄから立ち上がる立ち上がり面９ｅと、立ち上がり面９ｅよりも上の部分に現れる表面部９ｆを有して構成される。そして、凸部分９ａのうち、立ち上がり面９ｅの角度θをより垂直に近づけることにより（急勾配とする）、平面で見た場合の塗装範囲Ｇ１の均一化が図られるのである。
【００５７】
これにより、板厚１ｗが薄い図７（Ａ）の場合には、断面で見ると、凸部分９ａの部位において、立ち上がり面９ｅがほとんど塗布されず、平面で見ても、表面部９ｆのみが認識され、立ち上がり面９ｅの塗装は略認識されないことになる。
【００５８】
これに対し、板厚１ｗが厚い図７（Ｂ）の場合には、断面で見ると、凸部分９ａの部位において、立ち上がり面９ｅが塗布されるものの、この立ち上がり面９ｅの角度θが９０度に近く設定されているため、平面で見ると、表面部９ｆのみが認識され、立ち上がり面９ｅの塗装は略認識されないことになる。
【００５９】
以上のように、図７（Ａ）（Ｂ）において、凸部分９ａにおける塗装のなされ方は異なるものの、立ち上がり面９ｅの角度θの設定によって、平面で見た場合の塗装範囲Ｇ１を均一にすることができる。
【００６０】
なお、角度θについては特に限定されるものではないが、４５度〜９０度の範囲とすることが考えられ、より顕著な効果を得るには、６０度〜９０度の範囲とすることが好ましい。
【００６１】
また、この方法、即ち、立ち上がり面９ｅの角度θの設定による平面で見た場合の塗装範囲の均一化については、特に、図２（Ａ）に示すように、斫り表面５０ｍを有する凸部５を含む柄模様について特に好適である。つまり、図５（Ｂ）（Ｃ）に示される斫り表面５０ｍにおいては、なだらかな傾斜をなす立ち上がり面９ｅを有する凸部分９ａが多く出現するので、この立ち上がり面９ｅの角度θを９０度に近づけることで、顕著な効果を得ることができる。
【００６２】
次に、壁パネルの縁部分の面取りに関して説明する。
図８（Ａ）は上下の壁パネル１Ａ，１Ｃの接合部について示す正面図であり、図８（Ｂ）は、図８（Ａ）のＡ−Ａ線断面図である。
【００６３】
図８（Ｂ）に示すように、下側の壁パネル１Ａの上縁には下実部１１が形成され、上側の壁パネル１Ｃの下縁には上実部１２が形成され、下実部１１に上実部１２が乗り掛かって合決接合されている。
【００６４】
壁パネル１Ｃにおいて、凸部５ｂには、凸表面５０ａと、下側の側面部５２ａが現れている。この側面部５２ａは面取り加工により形成され、幅５２ｗを有して構成される。
【００６５】
そして、この面取り加工による側面部５２ａが、図８（Ｃ）に示すように、一直線上の面取りライン５２Ｌを形成するように現れることになる。
【００６６】
ここで、面取り加工は、図８（Ｂ）に示すように、表面加工ｍを施した後の壁パネルに対して行われるため、面取り加工により形成された側面部５２ａのみ表面加工ｍが存在しないことになり、他の表面加工ｍの部位と質感が異なり、より目立ち易いことを見出した。具体的には、例えば、凸表面５０ａについて、ビーズ吹き付け加工などにより表面が粗面化されている場合では、面取りされた後の面取りライン５２Ｌは平滑な面となるため、その質感の違いにより、面取りライン５２Ｌが顕著に目立ってしまうことなどである。また、下から見上げた場合には、一連の影のラインとなって目立ち易くなることも見出した。
【００６７】
以上の問題の解決策としては、面取り加工による側面部５２ａの幅５２ｗ（図８（Ｂ））を狭くすることが考えられるが、面取により始発目地（端部の目地）を形成することから幅５２ｗは十分に確保する必要があり、他の解決策を鋭意検討した。
【００６８】
一つの解決手段としては、面取りライン５２Ｌを目地３の箇所で分断させることで、面取りライン５２Ｌの存在を目立ち難くするものである。具体的には、図８（Ｄ）に示すように、目地３に対し追加的に切削加工を施し、目地３をより深くすることで、目地３の箇所において面取りライン５２Ｌの連続性を分断し、面取りライン５２Ｌを目立ち難くするものである。
【００６９】
さらに、別の解決手段としては、面取りライン５２Ｌの質感を、壁パネルの表面の質感に近づけるものである。具体的には、図８（Ｅ）に示すように、例えば、壁パネルの表面が粗面化されている場合に、面取りライン５２Ｌに対して粗面化加工を施すことで、質感を近づけるものである。粗面化加工の方法としては、ビーズ吹き付け加工や、硬質ブラシによるブラッシングや、叩き加工による凹凸形成、などが考えられる。なお、図８（Ｄ）において説明した目地３をより深くする加工も合せて行ってもよい。
【００７０】
以上の方法により、面取りライン５２Ｌをより目立ち難くすることができ、これにより、壁パネル同士の接合部Ｓをより目立ち難くすることができる。なお、以上の実施例では、上下に配置される壁パネルの接合部Ｓの例を用いて説明したが、左右に配置される壁パネルの接合部においても同様の方法を適用することができる。
【００７１】
以上のようにして本発明を実施することができる。
即ち、本発明の特徴的な技術として、図３に示すように、
複数の縦目地３と複数の横目地３にて矩形の区画が形成され、各区画に凸部５ａ，５ｂ・・・が構成される方形の壁パネルであって、
各凸部には、横目地３に沿って、上側の側面部５１ａと、下側の側面部５２ａが形成され、
横方向に隣り合う凸部同士の上側の側面部５１ａについて、面積、及び／又は、傾斜角度が互いに異なる箇所を、横方向において少なくとも一箇所有する上側目地ライン３Ｔと、
及び／又は、
横方向に隣り合う凸部同士の下側の側面部５２ａについて、面積、及び／又は、傾斜角度が互いに異なる箇所を、横方向において少なくとも一箇所有する下側目地ライン３Ｕと、を有する壁パネル、とするものである。
【００７２】
これにより、図３に示すように、横目地において、視覚上、「揺らぎ」のあるラインが形成され、各壁パネル１Ａ，１Ｂの凸部５ａ，５ｂ・・・の境界部に横方向の目地ズレが存在しているものと認識されやすくなり、横方向に隣り合う壁パネル１Ａ，１Ｂ同士の接合部Ｓｙにおける横方向の目地ズレが目立って認識されることを防止でき、ひいては、壁パネル１Ａ，１Ｂ同士の接合部Ｓｙをより目立ち難くすることができる。
【００７３】
また、図４に示すように、上側目地ライン３Ｔ、及び／又は、下側目地ライン３Ｕとは別に、横方向に一直線上に延びる直線状ラインＸを有する、壁パネルとするものである。
【００７４】
これによれば、図４に示すように、縦方向に隣接する壁パネル同士の接合部Ｓｘに生じる直線状ラインＬのみならず、壁パネルの柄模様中にも直線状ラインＸが現れるので、接合部Ｓｘの直線状ラインＬに視線が集中することなく、接合部Ｓｘを目立ち難くすることができる。
【００７５】
また、図２（Ｃ）〜（Ｆ）に示すように、凸部には、縦目地と横目地で囲まれる凸表面５０ｂ〜５０ｅが構成され、
凸表面５０ｂ〜５０ｅは、施工状態において垂直面に対し、傾斜する傾斜角度を有する、こととするものである。
【００７６】
これにより、図３に示すように、例えば、上側の側面部５１ａの幅をより広く、下側の側面部５１ｂの幅をより狭く見せる効果を発揮させることができ、視覚上、「揺らぎ」の効果がより顕著に現れることにより、壁パネル１Ａ，１Ｂ同士の接合部Ｓｙをより目立ち難くすることができる。
【００７７】
また、図２（Ｇ）に示すように、凸部には、縦目地と横目地で囲まれる斫り表面５０ｍが構成される、こととするものである。
【００７８】
これにより、図３に示すように、斫り表面５０ｍに現れる複雑なラインによって、視覚の焦点が定まらないことになり、上側や下側の側面部５１ｄ，５１ｆの幅を特定し難くする効果を発揮させることができ、視覚上、「揺らぎ」の効果がより顕著に現れることにより、壁パネル１Ａ，１Ｂ同士の接合部Ｓｙをより目立ち難くすることができる。
【産業上の利用可能性】
【００７９】
本発明は、住宅などの建物の外装（外壁）や内装（室内壁、通路壁など）を形成するための壁パネルの接合部をより目立ち難くする技術として、幅広く適用可能である。
【符号の説明】
【００８０】
１    壁パネル
３    横目地
５    凸部
５０ａ  凸表面
５１ａ  上側の側面部
５２ａ  下側の側面部
３Ｔ    上側目地ライン
３Ｕ    下側目地ライン
Ｓｙ    接合部
【図２】
2017031721.tif 000003
【図３】
2017031721.tif 000004
【図４】
2017031721.tif 000005
【図５】
2017031721.tif 000006
【図６】
2017031721.tif 000007
【図７】
2017031721.tif 000008
【図８】
2017031721.tif 000009
【図１】
2017031721.tif 000010